(57)【特許請求の範囲】
【請求項１】
被洗浄車両に対して前後方向に移動する洗車機本体と、第１文字列と第２文字列と第１表示灯と第２表示灯とを有するとともに被洗浄車両の前方に進出する進出位置と前記進出位置から退避する退避位置との間を進退する第１表示部と、前記退避位置に配された第１表示部の第２文字列を覆う第３文字列を有した第２表示部とを備え、被洗浄車両の洗車前に第１表示部を前記進出位置に配置して第１表示灯を点灯した第１文字列よる報知状態と第２表示灯を点灯した第２文字列による報知状態とを択一的に切り替え、被洗浄車両の洗車後に第１表示部を前記退避位置に配置し、第２表示灯の点灯によって第３文字列による報知状態にしたことを特徴とする洗車機。
【請求項２】
第１文字列によって被洗浄車両の停止を指示し、第２文字列によって被洗浄車両の前進を指示し、第３文字列によって被洗浄車両の退出を指示することを特徴とする請求項１に記載の洗車機。
【請求項３】
第１文字列によって被洗浄車両の前進を指示し、第２文字列によって被洗浄車両の停止を指示し、第３文字列によって被洗浄車両の退出を指示することを特徴とする請求項１に記載の洗車機。
【請求項４】
第３文字列が洗車前の被洗浄車両の運転席から前記洗車機本体により隠れる位置に配置されることを特徴とする請求項１〜請求項３のいずれかに記載の洗車機。
【請求項５】
被洗浄車両に対して前後方向に移動する洗車機本体と、第１文字列と第２文字列と第１表示灯と第２表示灯とを有するとともに被洗浄車両の前方に進出する進出位置と前記進出位置から退避する退避位置との間を進退する第１表示部と、前記退避位置に配された第１表示部の第２文字列を覆う第３文字列を有した第２表示部とを備えた洗車機の表示制御方法であって、
被洗浄車両の洗車前に第１表示部を前記進出位置に配置して第１表示灯を点灯した第１文字列よる報知状態と第２表示灯を点灯した第２文字列による報知状態とを択一的に切り替える洗車前工程と、
被洗浄車両の洗車後に第１表示部を前記退避位置に配置し、第２表示灯の点灯によって第３文字列による報知状態にした洗車後工程と、
を有することを特徴とする表示制御方法。
【発明の詳細な説明】
【技術分野】
【０００１】
本発明は被洗浄車両を案内する表示部を備えた洗車機及び洗車方法に関する。
【背景技術】
【０００２】
給油所等に設置される従来の洗車機は特許文献１に開示されている。洗車機は被洗浄車両に対して前後方向に移動させる洗車機本体を備えている。洗車機本体は左右の対向する２つのスタンド部と、スタンド部の上端を連結する天井部とを有して被洗浄車両を跨ぐ門型に形成される。
【０００３】
洗車機本体には回転ブラシ及び送風ノズルが設けられる。回転ブラシによって被洗浄車両の洗浄が行われ、送風ノズルから送風して被洗浄車両の乾燥が行われる。
【０００４】
また、洗車機には被洗浄車両を案内する表示部（ガイド灯）及び案内板（表示器）が設けられる。表示部は洗車機本体のスタンド部に設置され、「前進」、「停止」、「後退」の各文字列が設けられるとともに、各文字列に隣接する表示灯が設けられている。各表示灯の点灯によって隣接する文字列による報知状態を択一的に切り替える。
【０００５】
案内板はＬＥＤをマトリクス状に配列した電光表示装置により形成され、洗車機本体に対して被洗浄車両の進路前方に配される。また、案内板は被洗浄車両の前方に進出する進出位置と進出位置から退避する退避位置との間を進退する。案内板によって所定のメッセージを表示し、被洗浄車両が案内される。
【０００６】
洗車前に案内板は進出位置に配されて前進を案内するメッセージを表示し、表示部の報知により前進を指示する。被洗浄車両が前進して所定の停止位置に到達すると案内板により停止を案内するメッセージを表示するとともに表示部の報知により停止を指示する。これにより、被洗浄車両が停止して洗車が開始される。この時、被洗浄車両が停止位置を行き過ぎると、案内板により後退を案内するメッセージを表示するとともに表示部により後退を指示する。
【０００７】
洗車が終了すると、案内板が退避位置に退避し、退場を案内するメッセージを表示する。これにより、被洗浄車両は案内板との衝突を回避して退場することができる。
【先行技術文献】
【特許文献】
【０００８】
【特許文献１】特開２００４−１５９８号公報
【発明の概要】
【発明が解決しようとする課題】
【０００９】
しかしながら、上記従来の洗車機によると、案内板が電光表示装置により形成されるため洗車機の製造コストが高くなる問題がある。このため、案内板を省いて洗車機本体に固定したガイド灯により案内を行うと、被洗浄車両からガイド灯の視認性が悪いため利便性が低下する問題が生じる。
【００１０】
本発明は、利便性を低下させずに製造コストを削減できる洗車機及び洗車方法を提供することを目的とする。
【課題を解決するための手段】
【００１１】
上記目的を達成するために本発明の洗車機は、被洗浄車両に対して前後方向に移動する洗車機本体と、第１文字列と第２文字列と第１表示灯と第２表示灯とを有するとともに被洗浄車両の前方に進出する進出位置と前記進出位置から退避する退避位置との間を進退する第１表示部と、前記退避位置に配された第１表示部の第２文字列を覆う第３文字列を有した第２表示部とを備え、被洗浄車両の洗車前に第１表示部を前記進出位置に配置して第１表示灯を点灯した第１文字列よる報知状態と第２表示灯を点灯した第２文字列による報知状態とを択一的に切り替え、被洗浄車両の洗車後に第１表示部を前記退避位置に配置し、第２表示灯の点灯によって第３文字列による報知状態にしたことを特徴とする。
【００１２】
また、本発明は上記構成の洗車機において、第１文字列によって被洗浄車両の停止を指示し、第２文字列によって被洗浄車両の前進を指示し、第３文字列によって被洗浄車両の退出を指示することを特徴とする。
【００１３】
また、本発明は上記構成の洗車機において、第１文字列によって被洗浄車両の前進を指示し、第２文字列によって被洗浄車両の停止を指示し、第３文字列によって被洗浄車両の退出を指示することを特徴とする。
【００１４】
また、本発明は上記構成の洗車機において、第１表示灯の発光色が赤色であり、第２表示灯の発光色が青色であることを特徴とする。
【００１５】
また、本発明は上記構成の洗車機において、第３文字列が洗車前の被洗浄車両の運転席から前記洗車機本体により隠れる位置に配置されることを特徴とする。
【００１６】
上記目的を達成するために本発明の表示制御方法は、被洗浄車両に対して前後方向に移動する洗車機本体と、第１文字列と第２文字列と第１表示灯と第２表示灯とを有するとともに被洗浄車両の前方に進出する進出位置と前記進出位置から退避する退避位置との間を進退する第１表示部と、前記退避位置に配された第１表示部の第２文字列を覆う第３文字列を有した第２表示部とを備えた洗車機の表示制御方法であって、被洗浄車両の洗車前に第１表示部を前記進出位置に配置して第１表示灯を点灯した第１文字列よる報知状態と第２表示灯を点灯した第２文字列による報知状態とを択一的に切り替える洗車前工程と、被洗浄車両の洗車後に第１表示部を前記退避位置に配置し、第２表示灯の点灯によって第３文字列による報知状態にした洗車後工程と、を有する。
【発明の効果】
【００１７】
本発明によると、第１、第２表示灯及び第１〜第３文字列によって報知を行うので電光表示装置等の高価な装置を必要とせず、安価な構成で被洗浄車両を案内することができる。また、第１表示部が進退するため洗車前に被洗浄車両から第１表示部を容易に視認することができる。加えて、退避位置の第１表示部に設けた第２表示灯の点灯によって第３文字列による報知を行うので、部品点数を削減することができる。従って、洗車機及び洗車方法の利便性を低下させずに製造コストを削減することができる。
【図面の簡単な説明】
【００１８】
【図１】本発明の実施形態の洗車機を示す側面図
【図２】本発明の実施形態の洗車機を示す正面図
【図３】本発明の実施形態の洗車機を示す上面図
【図４】本発明の実施形態の洗車機の案内部を示す正面図
【図５】本発明の実施形態の洗車機を示す上面図
【発明を実施するための形態】
【００１９】
以下に図面を参照して本発明の実施形態を説明する。図１、図２、図３は本発明の一実施形態の洗車機ＷＡを示す側面図、正面図及び上面図である。洗車機ＷＡは洗車機本体１、リモートパネル７Ａ及び案内部３４を備えている。洗車機本体１は左右の対向する２つのスタンド部９０と、スタンド部９０の上端を連結する天井部９１とを有した門型に形成される。
【００２０】
地面Ｇ上には左右一対のレール２が敷設され、スタンド部９０の底面に設けた車輪３がレール２上に配される。これにより、洗車機本体１はレール２上に立設し、走行モータ（不図示）の駆動によりレール２上を走行して被洗浄車両ＣＡに対して前後に移動する。
【００２１】
スタンド部９０には洗剤やワックス等の各種液剤を貯液した複数の貯液タンク（不図示）を収納するタンク収納部３０が配される。タンク収納部３０の上方には各貯液タンクからの液剤を分配する分配配管部３１が設けられる。分配配管部３１には噴射ノズルからなる第１、第２浄水ノズル１１、１３、第１、第２洗剤ノズル１２、１５、撥水コートノズル１４、ワックスノズル１６がそれぞれ電磁弁（不図示）を介して導出される。
【００２２】
第１、第２浄水ノズル１１、１３は洗車機本体１の手前側及び奥側にそれぞれ配され、被洗浄車両ＣＡに対して洗浄水を噴射する。第１、第２洗剤ノズル１２、１５は洗車機本体１の手前側及び奥側にそれぞれ配され、被洗浄車両ＣＡに対してシャンプーなどの液体を噴射する。撥水コートノズル１４及びワックスノズル１６は洗車機本体１の後面に配される。撥水コートノズル１４は被洗浄車両ＣＡに対して撥水コート剤の液体を噴射する。ワックスノズル１６は被洗浄車両ＣＡに対して液体のワックスを噴射する。
【００２３】
洗車機本体１の一方のスタンド部９０の前面には操作パネル７が配される。操作パネル７は洗車条件を設定するリモートパネル７Ａと同様の操作ボタン（不図示）を備えている。
【００２４】
洗車機本体１には気流を発生して被洗浄車両ＣＡを乾燥させるブロア２０が設けられる。ブロア２０にはサイド送風ノズル２２及びトップ送風ノズル２１が接続される。サイド送風ノズル２２はスタンド部９０にそれぞれ設けられ、被洗浄車両ＣＡの側面に向けて送風する。トップ送風ノズル２１は天井部９１に設けられ、被洗浄車両ＣＡの上面に向けて送風する。
【００２５】
洗車機本体１には被洗浄車両ＣＡ上に摺動してブラッシングするトップブラシ４、サイドブラシ５及びロッカーブラシ６から成る複数の回転ブラシが設けられる。トップブラシ４は被洗浄車両ＣＡの上面に沿って移動して被洗浄車両ＣＡの上面を洗浄する。サイドブラシ５は被洗浄車両ＣＡの側面及び後面を洗浄する。ロッカーブラシ６は被洗浄車両ＣＡの両側面の下部を洗浄する。また、洗車機本体１には音声による報知を行うスピーカ（不図示）も設けられている。
【００２６】
リモートパネル７Ａは被洗浄車両ＣＡの進入経路Ｓ上に配される。被洗浄車両ＣＡはリモートパネル７Ａの面前で停車し、ユーザは被洗浄車両ＣＡ内からリモートパネル７Ａの操作によって洗車条件の設定を行う。
【００２７】
リモートパネル７Ａに設けたボタンにより、シャンプー、ワックス掛け、撥水コート等に使用する液剤を用いた洗車条件を設定することができる。また、フロントガード有り、フェンダーポール有り、サイドミラー有り、リヤワイパ有り、ルーフキャリア有り等の装備品の設定もすることができる。
【００２８】
案内部３４は洗車開始前の洗車機本体１よりも被洗浄車両ＣＡの進路前方に一のスタンド部９０側に偏って設けられている。詳細を後述するように、案内部３４の報知により被洗浄車両ＣＡに対する案内が行われる。
【００２９】
図４は案内部３４の正面図を示している。案内部３４は筐体３５、表示部３７（第１表示部）及び表示部３８（第２表示部）を有している。
【００３０】
筐体３５は地面Ｇに立設し、背面３５ｂにロッド３６が設けられている。ロッド３６の下端は筐体３５内に回動可能に保持され、上端には軸部３６ａを介して保持部５０が設けられている。保持部５０には板状の表示部３７が設けられている。
【００３１】
表示部３７の右側には上下に文字列４１（第１文字列）、文字列４２（第２文字列）が設けられている。文字列４１は被洗浄車両ＣＡに対して停止を指示する「停止」等の文字列から成り、文字列４２は被洗浄車両ＣＡに対して前進を指示する「前進」等の文字列から成る。
【００３２】
文字列４１の左側には表示灯４４（第１表示灯）が設けられ、文字列４２の左側には表示灯４５（第２表示灯）が設けられている。表示灯４４は発光色が赤色からなるＬＥＤから形成され、表示灯４５は発光色が青色からなるＬＥＤから形成されている。表示灯４４、４５は択一的に点灯され、表示灯４４を点灯すると文字列４１による報知状態となり、表示灯４５を点灯すると文字列４２による報知状態となる。
【００３３】
筐体３５の上面３５ａの前部には板状の表示部３８（第２表示部）が設けられている。表示部３８は文字列４３（第３文字列）が設けられている。文字列４３は被洗浄車両ＣＡに対して退出を指示する「退出」等の文字列から成る。
【００３４】
ロッド３６が回動すると、表示部３７は被洗浄車両ＣＡの前方に進出する進出位置Ｓ１と進出位置Ｓ１から退避する退避位置Ｓ２との間を進退する。退避位置Ｓ２に表示部３７が退避した際、文字列４２は表示部３８によって覆われる。なお、保持部５０が軸部３６ａで回動して表示部３７が表示灯４４、４５を上下に配した状態を維持して進退する。
【００３５】
上記構成の洗車機ＷＡにおいて、ユーザが運転して被洗浄車両ＣＡをリモートパネル７Ａの面前で停車させ、被洗浄車両ＣＡの洗車条件の設定を被洗浄車両ＣＡ内から行う。洗車条件の設定を終了すると、表示部３７が進出位置Ｓ１に配置される。そして、表示灯４５が点灯して文字列４２による報知状態になり、表示部３７により前進が指示される。この時、スピーカから「車両を前進してください」と報知される。
【００３６】
ユーザは青色に発光した表示灯４５、文字列４２及びスピーカからの報知を参考にして被洗浄車両ＣＡを前方に移動させる。被洗浄車両ＣＡが所定の洗車開始位置に配されると、表示灯４５が消灯して表示灯４４が点灯する。これにより、文字列４１による報知状態に切り替えられ、表示部３７により停止が指示される。この時、スピーカから「車両を停止してください」と報知される（洗車前工程）。
【００３７】
ユーザは表示灯４４、文字列４１及びスピーカからの報知を参考にして被洗浄車両ＣＡを停止させる。尚、図３に示すように、進入経路Ｓを進行する洗車前の被洗浄車両ＣＡの運転席ＣＡ１から表示部３８がスタンド部９０やサイドブラシ５により隠れる位置に配されている。
【００３８】
洗車機本体１は被洗浄車両ＣＡが洗車開始位置に停止したことを確認すると、洗車を開始する。洗車が開始されると洗車機本体１が前後方向に移動し、各回転ブラシが回転して被洗浄車両ＣＡを洗浄する。各回転ブラシの洗浄に続き、各送風ノズルから空気が被洗浄車両ＣＡに向けて送風され、被洗浄車両ＣＡを乾燥させて被洗浄車両ＣＡの洗車が終了する。
【００３９】
図５は洗車が終了した状態の洗車機ＷＡの上面図である。被洗浄車両ＣＡの洗車が終了すると、表示部３７は進出位置Ｓ１から退避位置Ｓ２に退避する。この時、被洗浄車両ＣＡの前部は洗車機本体１の出口面１ｂよりも前方に配され、表示部３８が運転席ＣＡ１から視認できる位置に配されている。
【００４０】
そして、表示灯４４が消灯して表示灯４５が点灯する。これにより、文字列４３による報知状態に切り替えられ、表示部３７により退出が指示される。この時、スピーカから「車両を退出してください」と報知される。ユーザは青色に発光した表示灯４５、文字列４３及びスピーカからの報知を参考にして被洗浄車両ＣＡを前進させて退出させる（洗車後工程）。
【００４１】
本実施形態によると、表示灯４４、４５及び文字列４１〜４３によって報知を行うので電光表示装置等の高価な装置を必要とせず、安価な構成で被洗浄車両ＣＡを案内することができる。また、表示部３７（第１表示部）が進退するため洗車前に被洗浄車両ＣＡから表示部３７を容易に視認することができる。加えて、退避位置Ｓ２の表示部３７に設けた表示灯４５の点灯によって文字列４３による報知を行うので、部品点数を削減することができる。従って、洗車機ＷＡの利便性を低下させずに製造コストを削減することができる。
【００４２】
また、文字列４１（第１文字列）によって被洗浄車両ＣＡの停止を指示し、文字列４２（第２文字列）によって被洗浄車両ＣＡの前進を指示し、文字列４３（第３文字列）によって被洗浄車両ＣＡの退出を指示する。これにより、洗車前に進出位置Ｓ１の表示部３７を容易に視認して被洗浄車両ＣＡを洗車開始位置に配置できるとともに、洗車後に表示部３８を容易に視認して被洗浄車両ＣＡを退出させることができる。
【００４３】
また、表示灯４４（第１表示灯）の発光色が赤色であり、表示灯４５（第２表示灯）の発光色が青色である。このため、ユーザは案内部３４による案内を容易に判断することができる。
【００４４】
また、文字列４３（第３文字列）が洗車前の被洗浄車両ＣＡの運転席ＣＡ１から洗車機本体１により隠れる位置に配置される。このため、洗車前にユーザによって文字列４３が視認されず、案内の誤認を防止することができる。
【００４５】
本実施形態において、文字列４１及び文字列４２の側方にそれぞれ表示灯４４及び表示灯４５が配置されるが、表示灯４４及び表示灯４５を他の位置に配置してもよい。例えば、表示灯４４及び表示灯４５をそれぞれ文字列４１及び文字列４２を囲むように配置してもよい。この時、表示部３７が退避位置Ｓ２に配置されると、表示部３８の周囲が表示灯４５により囲まれ、文字列４３による報知を行うことができる。
【００４６】
また、表示灯４４及び表示灯４５が同じ色の発光色（例えば白色、乳白色等）でもよい。またこの時、文字列４１（第１文字列）によって被洗浄車両ＣＡの前進を指示し、文字列４２（第２文字列）によって被洗浄車両ＣＡの停止を指示し、文字列４３（第３文字列）によって被洗浄車両ＣＡ退出を指示してもよい。このため、ユーザは同じ色の発光色であっても、表示灯４４、４５の点灯により、停止、前進、退出が案内されるため、上記と同様の効果を奏することができる。
【００４７】
また、第１〜第３文字列のそれぞれの文字列は停止、前進及び退出のいずれかを示す記号、マークや図であってもよい。
【産業上の利用可能性】
【００４８】
本発明によると、被洗浄車両を案内する表示部を備えた洗車機及び洗車方法に利用することができる。
【符号の説明】
【００４９】
１    洗車機本体
１ｂ  出口面
２    レール
３    車輪
４    トップブラシ
５    サイドブラシ
６    ロッカーブラシ
７    操作パネル
８    トップブラシ
２０    ブロア
２１    トップ送風ノズル
２２    サイド送風ノズル
３４    案内部
３５    筐体
３５ａ  上面
３５ｂ  背面
３６    ロッド
３６ａ  軸部
３７    表示部（第１表示部）
３８    表示部（第２表示部）
４１    文字列（第１文字列）
４２    文字列（第２文字列）
４３    文字列（第３文字列）
４４    表示灯（第１表示灯）
４５    表示灯（第２表示灯）
５０    保持部
９０    スタンド部
９１    天井部
ＣＡ    被洗浄車両
Ｓ１    進出位置
Ｓ２    退避位置
ＷＡ    洗車機
【図１】
0006459890.tif 000002
【図２】
0006459890.tif 000003
【図３】
0006459890.tif 000004
【図４】
0006459890.tif 000005
【図５】
0006459890.tif 000006